(57)【特許請求の範囲】
【請求項１】
上辺を構成する上辺枠と、下辺を構成する下辺枠と、一方の縦辺を構成する第１縦辺枠と、他方の縦辺を構成する第２縦辺枠とを備えて方形に形成された遊技機の枠装置であって、
該上辺枠と該第１縦辺枠を連結する第１上角部は直角から鋭角側に開閉する鋭角丁番によって回動可能に連結され、該上辺枠と該第２縦辺枠を連結する第２上角部は直角から鈍角側に開閉する鈍角丁番によって回動可能に連結され、該下辺枠と該第１縦辺枠を連結する第１下角部は直角から鈍角側に開閉する鈍角丁番によって回動可能に連結され、該下辺枠と該第２縦辺枠を連結する第２下角部は直角から鋭角側に開閉する鋭角丁番によって回動可能に連結され、該第１上角部、第２下角部の各鋭角丁番、及び第２上角部、第１下角部の各鈍角丁番には、丁番の各回動部材の開閉角度を直角状態にロックするロック部材が設けられ、少なくとも２箇所のロック部材のロックを解除したとき、該各角部の鋭角丁番または鈍角丁番の各回動部材が回動可能となり、各該鋭角丁番が直角から鋭角側に回動し、各該鈍角丁番が直角から鈍角側に回動して、該上辺枠の側面を該第１縦辺枠または第２縦辺枠の側面に当接させ、且つ該下辺枠の側面を該第１縦辺枠または第２縦辺枠の側面に当接させるように各該鋭角丁番と各該鈍角丁番の各回動部材を回動させて折り畳むことを特徴とする遊技機の枠装置。
【請求項２】
前記ロック部材は前記鋭角丁番または鈍角丁番の回動部材に設けた長孔に移動可能に支持され、対応する他方の回動部材に、該ロック部材に係止される係止部が形成され、該鋭角丁番の回動部材には該１対の回動部材を鋭角から直角まで回動させたとき、他の部材に当たって停止するストッパ部が設けられ、該鈍角丁番の回動部材には該１対の回動部材を鈍角から直角まで回動させたとき、他の部材に当たって停止するストッパ部が設けられたことを特徴とする請求項１記載の遊技機の枠装置。
【請求項３】
前記鋭角丁番または鈍角丁番の回動部材に設けた前記ロック部材を、前記他方の回動部材に設けた係止部に係止させるように、付勢するばね部材が設けられたことを特徴とする請求項１記載の遊技機の枠装置。
【請求項４】
前記鋭角丁番は、第１回動部材に設けた軸受部に第２回動部材に設けた軸支部の枢軸を介して支持させ、直角から直角未満の角度間で相互に回動可能に軸支して構成され、該軸受部と該軸支部は、取付孔を設けた取付部より狭い幅で断面コ字状に曲折形成されて、相互に回動可能に嵌合されると共に、該枢軸により連結されたことを特徴とする請求項１記載の遊技機の枠装置。
【請求項５】
前記鋭角丁番の第１回動部材と第２回動部材間を鋭角から直角状態に回動させたとき、他方の回動部材に当たって停止するストッパ部が前記軸受部の縁部に設けられたことを特徴とする請求項４記載の遊技機の枠装置。
【請求項６】
前記鈍角丁番は、第１回動部材に設けた軸受部に第２回動部材に設けた軸支部の枢軸を介して支持させ、直角から直角を超える角度間で相互に回動可能に軸支して構成され、該軸受部と該軸支部は、取付孔を設けた取付部より狭い幅で断面コ字状に曲折形成されて、相互に回動可能に嵌合されると共に、該枢軸により連結されたことを特徴とする請求項１記載の遊技機の枠装置。
【請求項７】
前記鈍角丁番の第１回動部材と第２回動部材間を鈍角から直角状態に回動させたとき、他方の回動部材に当たって停止するストッパ部が前記軸受部の縁部に設けられたことを特徴とする請求項６記載の遊技機の枠装置。
【発明の詳細な説明】
【技術分野】
【０００１】
本発明は、パチンコ遊技機の外枠などに適用される遊技機の枠装置に関し、特にアルミニウムなどの金属部材により形成したリサイクル、リユース可能な構造とすると共に、折り畳み可能な構造とした枠装置に関する。
【背景技術】
【０００２】
従来、パチンコ遊技機の外枠は、合板などの木製が一般的であり、上枠板、下枠板、左右の側面枠板が各々帯状に裁断され、各板が方形枠状に組み合わせられ、それらの角部に、ヒンジ金具、補強金具などを固定して、外枠が方形枠状に形成される。しかしながら、この種の木製の外枠は、製造時に木部が破損した場合、或いは使用済みの遊技機を廃棄処分する際、ヒンジ金具などの金具類を取り外した後、木部を廃棄（焼却）処分しているため、金具類の取り外しに多くの工数が必要となる一方、リサイクルやリユースを行なうことができないという課題があった。
【０００３】
そこで、従来、リサイクルの観点からアルミニウムなどの金属材料を使用した遊技機の外枠が下記特許文献１，２などで提案されている。
【特許文献１】特開２００２−１４３４８９号公報
【特許文献２】特開２００３−１７５２３９号公報
【発明の開示】
【発明が解決しようとする課題】
【０００４】
このようなアルミニウムなどの金属材料を使用した遊技機の外枠は、各辺の枠体を角筒型にすることにより、或いは枠体の横断面をコ字状などとすることにより、必要な強度を保持しながら軽量化を図ってはいるものの、遊技機の外枠は通常、１０ｃｍ程度の奥行きを有すると共に、幅が約４５ｃｍ、高さが約７５ｃｍ程度あるため、枠全体としての容積は大きく、特に空間容積が大きい。
【０００５】
このため、外枠を製造する製造工場で製造した外枠を保管する際、或いは製造した外枠を遊技機メーカーなどに輸送する際、外枠を重ねて収納するとしても、台数が多くなると、多くの保管スペースや運送の際の積荷スペースを必要とする課題があった。
【０００６】
本発明は、上述の課題を解決するものであり、折畳み可能な構造として、保管時或いは運送時に、保管スペースまたは積荷スペースを削減することができる遊技機の枠装置を提供することを目的とする。
【課題を解決するための手段】
【０００７】
本発明に係る遊技機の枠装置は、上辺を構成する上辺枠と、下辺を構成する下辺枠と、一方の縦辺を構成する第１縦辺枠と、他方の縦辺を構成する第２縦辺枠とを備えて方形に形成された遊技機の枠装置であって、該上辺枠と該第１縦辺枠を連結する第１上角部は直角から鋭角側に開閉する鋭角丁番によって回動可能に連結され、該上辺枠と該第２縦辺枠を連結する第２上角部は直角から鈍角側に開閉する鈍角丁番によって回動可能に連結され、該下辺枠と該第１縦辺枠を連結する第１下角部は直角から鈍角側に開閉する鈍角丁番によって回動可能に連結され、該下辺枠と該第２縦辺枠を連結する第２下角部は直角から鋭角側に開閉する鋭角丁番によって回動可能に連結され、該第１上角部、第２下角部の各鋭角丁番、及び第２上角部、第１下角部の各鈍角丁番には、丁番の各回動部材の開閉角度を直角状態にロックするロック部材が設けられ、少なくとも２箇所のロック部材のロックを解除したとき、該各角部の鋭角丁番または鈍角丁番の各回動部材が回動可能となり、各該鋭角丁番が直角から鋭角側に回動し、各該鈍角丁番が直角から鈍角側に回動して、該上辺枠の側面を該第１縦辺枠または第２縦辺枠の側面に当接させ、且つ該下辺枠の側面を該第１縦辺枠または第２縦辺枠の側面に当接させるように各該鋭角丁番と各該鈍角丁番の各回動部材を回動させて折り畳むことを特徴とする。
【０００８】
ここで、上記ロック部材は上記鋭角丁番または鈍角丁番の回動部材に設けた長孔に移動可能に支持され、対応する他方の回動部材に、該ロック部材に係止される係止部が形成され、該鋭角丁番の回動部材には該１対の回動部材を鋭角から直角まで回動させたとき、他の部材に当たって停止するストッパ部が設けられ、該鈍角丁番の回動部材には、該１対の回動部材を鈍角から直角まで回動させたとき、他の部材に当たって停止するストッパ部を設けて構成することができる。
【０００９】
また、上記鋭角丁番または鈍角丁番の回動部材に設けた上記ロック部材を、上記他方の回動部材に設けた係止部に係止させるように付勢する、ばね部材を設けることができる。
【００１０】
また、上記鋭角丁番は、第１回動部材に設けた軸受部に第２回動部材に設けた軸支部の枢軸を介して支持させ、直角から直角未満の角度間で相互に回動可能に軸支して構成され、該軸受部と該軸支部は、取付孔を設けた取付部より狭い幅で断面コ字状に曲折形成されて、相互に回動可能に嵌合されると共に、該枢軸により連結されるように構成することができる。
【００１１】
また、上記鋭角丁番の第１回動部材と第２回動部材間を鋭角から直角状態に回動させたとき、他方の回動部材に当たって停止するストッパ部を、上記軸受部の縁部に設けることができる。
【００１２】
また、上記鈍角丁番は、第１回動部材に設けた軸受部に第２回動部材に設けた軸支部の枢軸を介して支持させ、直角から直角を超える角度間で相互に回動可能に軸支して構成され、該軸受部と該軸支部は、取付孔を設けた取付部より狭い幅で断面コ字状に曲折形成されて、相互に回動可能に嵌合されると共に、該枢軸により連結されて構成することができる。
【００１３】
また、上記鈍角丁番の第１回動部材と第２回動部材間を、鈍角から直角状態に回動させたとき、他方の回動部材に当たって停止するストッパ部が、上記軸受部の縁部に設けられた構成とすることができる。
【発明の効果】
【００１４】
上記構成の枠装置によれば、例えば対角線上に位置する２個の鋭角丁番または鈍角丁番の各ロック部材を移動させてロックを解除すると、各角部の各鋭角丁番及び各鈍角丁番の各回動部材が回動可能となる。この状態で、鋭角丁番を鋭角側に閉じ鈍角丁番を鈍角側に開く方向に、軽い力を枠装置に加えると、各鋭角丁番が直角から鋭角側に回動し、各鈍角丁番が直角から鈍角側に回動する。これにより、上辺枠の側面が第１縦辺枠または第２縦辺枠の側面に当接するまで鋭角丁番又は鈍角丁番が回動し、同時に下辺枠の側面が第１縦辺枠または第２縦辺枠の側面に当接するまで鋭角丁番又は鈍角丁番が回動し、枠装置の方形枠は棒状の折畳み状態となる。
【００１５】
したがって、この枠装置によれば、方形枠を折り畳んで棒状又は帯板状とすることができるから、遊技機の外枠を製造する製造工場などで製造された枠装置を、それを保管する際、折り畳んで棒状又は帯板状とし、それらを容易に積み重ねて保管することができる。
【００１６】
つまり、枠装置を積み重ねる際には、特別に指定された形態をとる必要がなく、平面となる部分を単純に上下に重ねて積み重ねて保管することができる。また、折り畳んで棒状又は帯板状とした枠装置は、基本的に、折り畳んだ状態の各辺枠と辺枠または各角部と辺枠若しくは各角部と角部を重ね合わせた場合、各辺枠と各角部が相互に上からの荷重を受ける構造となるので、積み重ねた際の荷重により下側の枠装置が変形する虞はなく、簡単に且つ安全に多くの枠装置を縦に積み重ねて保管することができる。
【００１７】
よって、方形枠状の枠装置をそのまま保管する場合に比べ、極めて少ない保管スペースで多くの枠装置を保管することができる。また、外枠製造工場などで製造された枠装置を、遊技機メーカーなどに輸送する際、方形枠状の枠装置をそのまま積載して運搬する場合に比べ、運送の際の積荷スペースを大幅に低減することができ、枠装置の運送効率を大きく向上させることができる。
【００１８】
また、枠装置は、上辺を構成する上辺枠と、下辺を構成する下辺枠と、一方の縦辺を構成する第１縦辺枠と、他方の縦辺を構成する第２縦辺枠とを備え、上辺枠と第１縦辺枠を連結する第１上角部は直角から鋭角側に開閉する鋭角丁番によって回動可能に連結され、上辺枠と第２縦辺枠を連結する第２上角部は直角から鈍角側に開閉する鈍角丁番によって回動可能に連結され、下辺枠と第１縦辺枠を連結する第１下角部は直角から鈍角側に開閉する鈍角丁番によって回動可能に連結され、下辺枠と第２縦辺枠を連結する第２下角部は直角から鋭角側に開閉する鋭角丁番によって回動可能に連結されるから、上辺を構成する上辺枠と、下辺を構成する下辺枠と、一方の縦辺を構成する第１縦辺枠と、他方の縦辺を構成する第２縦辺枠は、アルミニウムなどの軽金属として枠の軽量化を図ると共に、各辺枠を連結する丁番には、鋼板などの高強度の金属を使用して高い強度を保持させることができる。
【００１９】
また、各丁番の軸受部と軸支部を断面コ字状として回動可能に嵌合させると共に、軸受部と軸支部の幅を取付部の幅より狭く形成しているため、丁番の連結部の曲げ強度などを高強度としながら、折り畳み時には丁番の各回動部材を円滑に回動させてスムーズに折り畳むことができる。
【発明を実施するための最良の形態】
【００２０】
以下、本発明の一実施形態を図面に基づいて説明する。図１は遊技機の枠装置の正面図を示し、図２はその左側面図を示し、図５は枠装置の分解正面図を示している。この枠装置は、ここではパチンコ遊技機の外枠を一例にして説明するが、他の枠に適用することもできる。
【００２１】
枠装置は、図１に示すように、概略的には、上辺を構成する上辺枠１と、下辺を構成する下辺枠２と、一方（左）の縦辺を構成する第１縦辺枠３と、他方（右）の縦辺を構成する第２縦辺枠４とを備え、上辺枠１と第１縦辺枠３を連結する第１上角部５は鋭角丁番１０によって回動（開閉）可能に連結され、上辺枠１と第２縦辺枠４を連結する第２上角部６は鈍角丁番２０によって回動（開閉）可能に連結されている。また、下辺枠２と第１縦辺枠３を連結する第１下角部７は鈍角丁番２０によって回動（開閉）可能に連結され、下辺枠２と第２縦辺枠４を連結する第２下角部８は鋭角丁番１０によって回動（開閉）可能に連結され、方形枠状の枠装置は、鋭角丁番１０と鈍角丁番２０を回動（開閉）動作させて、折り畳み可能に構成される。
【００２２】
ここで、上辺枠１、下辺枠２、第１縦辺枠３、及び第２縦辺枠４は、アルミニウムなどの軽金属により帯状に成形され、その中間部には、補強用のリブ１ａ，２ａ，３ａ，４ａが長手方向に沿って且つ内側に突出して形成され、充分な曲げ強度を有し且つ軽量に構成されている。また、上辺枠１、下辺枠２、第１縦辺枠３、第２縦辺枠４の各上端部と下端部に、固定ねじを通すための固定孔が穿設され、各辺枠を鋭角丁番１０又は鈍角丁番２０の各回動部材の取付部１１ｃ、１２ｃ、２１ｃ、２２ｃに連結固定する構造となっている。
【００２３】
第１上角部５と第２下角部８を各々鋭角側に回動可能に連結する鋭角丁番１０には、その鋭角丁番１０の第１回動部材１１と第２回動部材１２の開閉角度を直角状態にロックするロックピン１４が設けられる。さらに、第２上角部６と第１下角部７を各々鈍角側に回動可能に連結する鈍角丁番２０には、第１回動部材２１と第２回動部材２２の開閉角度を直角状態にロックするロックピン２４が設けられ、このロックピン２４は手動によりロックを外して直角から鈍角側に回動させる構造である。
【００２４】
鋭角丁番１０は、図１０に示すように、第１回動部材１１と第２回動部材１２を、枢軸１３を介して直角から鋭角側につまり略０度の閉じ角まで回動可能に連結して構成される。第１回動部材１１は、固定孔を設けた平板状の取付部１１ｃと連続して断面コ字状の軸受部１１ａを設けて形成され、軸受部１１ａには枢軸１３用の軸孔が穿設されると共に、軸孔の近傍に長孔１１ｄが形成され、この長孔１１ｄにはロックピン１４が移動可能に挿通される。軸受部１１ａの幅は取付部１１ｃの幅の約１／３程度と幅狭に形成され、後述の第２回動部材１２の断面コ字状の軸支部１２ａの内側に嵌入可能な幅となっている。なお、第１、第２回動部材１１，１２の軸受部１１ａ，１２ａは、断面Ｌ字状に形成することもできる。
【００２５】
さらに、板ばね１５が、ロックピン１４を長孔１１ｄ内で係止側に付勢するように、第１回動部材１１の内側にリベットで取り付けられている。ロックピン１４には２箇所に抜け防止用の止め輪が嵌着され、長孔１１ｄ内で且つ板ばね１５内に保持されて移動可能となっている。
【００２６】
この板ばね１５はばね板材を山形に曲折して形成され、その山形の内側にロックピン１４が嵌入され、ロックピン１４は板ばね１５により第２回動部材１２の係止部１２ｂに係止される側に付勢される。また、図１６に示すように、閉じた枠装置を開くとき、第２回動部材１２の係止部１２ｂはロックピン１４を板ばね１５の付勢力に抗して移動させる。そして、第１回動部材１１と第２回動部材１２が直角に開いたとき、係止部１２ｂがロックピン１４を乗り越えて係止され、ロックピン１４は板ばね１５により係止側に付勢され、直角状態を保持する構造となっている。さらに、図１０に示すように、第１回動部材１１の軸受部１１ａの先端に、ストッパ部１１ｂが突設され、図１２に示すように、第１回動部材１１と第２回動部材１２が直角に開いたとき、ストッパ部１１ｂが第２回動部材１２の縁部に当たり停止する構造となっている。
【００２７】
一方、鋭角丁番１０の第２回動部材１２は、図１０に示すように、固定孔を設けた平板状の取付部１２ｃと連続して断面コ字状の軸支部１２ａを設けて形成され、軸支部１２ａには枢軸１３が水平に支持される。この軸支部１２ａの内側に上記第１回動部材１１の軸受部１１ａが挿入され、その軸受部１１ａの軸孔にこの枢軸１３が挿通される。これにより、第１回動部材１１と第２回動部材１２は、枢軸１３を軸に、直角から鋭角側に回動可能に連結され、最大開放角度９０度（直角状態）から閉じ角度０度までの範囲で回動する構造となっている。また、この第２回動部材１２の軸支部１２ａの先端上部には、上記ロックピン１４に係止可能な係止部１２ｂが設けられ、図１２に示すように、第１回動部材１１と第２回動部材１２を直角状態まで回動させたとき、係止部１２ｂがロックピン１４を乗り越えた後、ロックピン１４に係止されて停止する。
【００２８】
鈍角丁番２０は、図１１に示すように、第１回動部材２１と第２回動部材２２を、枢軸２３を軸に直角から鈍角側に、つまり略１８０度の開放角まで回動（開閉）可能に連結して構成される。第１回動部材２１は、固定孔を設けた平板状の取付部２１ｃと連続して断面コ字状の軸受部２１ａを設けて形成され、軸受部２１ａには枢軸２３用の軸孔が穿設されると共に、軸孔の近傍に長孔２１ｄが形成され、この長孔２１ｄにはロックピン２４が移動可能に挿通される。軸受部２１ａの幅は取付部２１ｃの幅の約１／３程度と幅狭に形成され、後述の第２回動部材２２の断面コ字状の軸支部２２ａの内側に挿入可能な幅となっている。なお、第１、第２回動部材２１，２２の軸受部２１ａ，２２ａは、断面Ｌ字状に形成することもできる。
【００２９】
さらに、板ばね２５が、ロックピン２４を長孔２１ｄ内で係止側に付勢するように、第１回動部材２１の内側にリベットで取り付けられている。ロックピン２４には２箇所に抜け防止用の止め輪が嵌着され、長孔２１ｄ内で且つ板ばね２５に接触して移動可能となっている。
【００３０】
この板ばね２５はばね板材を山形に曲折して形成され、その山形の外側にロックピン２４が接触して配置され、図１３、１７に示すように、長孔２１ｄ内のロックピン２４を枢軸２３側、つまり、第２回動部材２２の係止部２２ｂに係止させる側に付勢する。そして、第１回動部材２１と第２回動部材２２が鈍角から直角状態になったとき、ロックピン２４を手動で動かして板ばね２５の山を乗り越えさせ、第２回動部材２２の係止部２２ｂにロックピン２４を係止させ、図１３のように、鈍角丁番２０を直角に保持する構造となっている。また、第１回動部材２１の軸受部２１ａの先端に、ストッパ部２１ｂが突設され、図１３に示すように、第１回動部材２１と第２回動部材２２が直角状態となったとき、ストッパ部２１ｂが第２回動部材２２の縁部に当たり停止する構造となっている。
【００３１】
一方、鈍角丁番２０の第２回動部材２２は、図１１に示すように、固定孔を設けた平板状の取付部２２ｃと連続して断面コ字状の軸支部２２ａを設けて形成され、軸支部２２ａには枢軸２３が水平に支持される。この軸支部２２ａの内側に上記第１回動部材２１の軸受部２１ａが挿入され、その軸受部２１ａの軸孔にこの枢軸２３が挿通され、第１回動部材２１と第２回動部材２２は、枢軸２３を軸に、直角から鈍角側に回動可能に連結され、直角から略１８０度の開き角度までの範囲で回動する。また、この第２回動部材２２の軸支部２２ａの先端上部には、上記ロックピン２４に係止可能な係止部２２ｂが設けられ、図１３に示すように、第１回動部材２１と第２回動部材２２を直角状態に回動させたとき、手動操作によりロックピン２４を移動させて、第２回動部材２２の係止部２２ｂにロックピン２４を係止させ、鈍角丁番２０の開き角度を直角に保持する構造となっている。
【００３２】
上記構成の鋭角丁番１０は、図１２に示すように、方形枠の第１上角部５と、第１上角部５の対角線上にある第２下角部８とに取り付けられ、第１上角部５の鋭角丁番１０の第１回動部材１１の取付部１１ｃに、上辺枠１の左端部が固定ねじにより締付固定され、鋭角丁番１０の第２回動部材１２の取付部１２ｃには第１縦辺枠３の上端部が固定ねじにより締付固定される。同様に、第２下角部８の鋭角丁番１０の第１回動部材１１の取付部１１ｃには、下辺枠２の右端部が固定ねじにより締付固定され、その鋭角丁番１０の第２回動部材１２の取付部１２ｃには第２縦辺枠４の下端部が固定ねじにより締付固定される。
【００３３】
一方、上記構成の鈍角丁番２０は、図１３に示すように、方形枠の第２上角部６と、第２上角部６の対角線上にある第１下角部７とに取り付けられ、第２上角部６の鈍角丁番２０の第１回動部材２１の取付部２１ｃに、上辺枠１の右端部が固定ねじにより締付固定され、鈍角丁番２０の第２回動部材２２の取付部２２ｃには第２縦辺枠４の上端部が固定ねじにより締付固定される。同様に、第２上角部６の鈍角丁番２０の第１回動部材２１の取付部２１ｃには、下辺枠２の左端部が固定ねじにより締付固定され、その鈍角丁番２０の第２回動部材２２の取付部２２ｃには第１縦辺枠３の下端部が固定ねじにより締付固定される。
【００３４】
なお、枠装置の第１上角部５には、パチンコ遊技機の前枠用の上ヒンジ金具３１が固定される。上ヒンジ金具３１は、図５、６のように、平板状の取付部３１ａの上部に水平板部３１ｂを直角に折り曲げ、その水平板部３１ｂに軸孔３１ｃを穿設して形成される。また、その下方の第１下角部７に、前枠用の下ヒンジ金具３２が固定される。下ヒンジ金具３２は、図５、６のように、平板状の取付部３２ａの上部に水平板部３２ｂを直角に折り曲げ、その水平板部３２ｂに軸ピン３２ｃを上向きに突設して形成される。
【００３５】
また、枠装置の第２上角部６には、上角保護金具３３が固定される。上角保護金具３３は、図５、７、８に示すように、平板状の取付部３３ａの上部に水平板部３３ｂを直角に折り曲げて形成され、鈍角丁番２０の正面側の角部を覆って保護するように、その第２回動部材２２の取付部２２ｃに対し固定ねじで取り付けられる。さらに、その下方の第２下角部８には、下角保護金具３４が鋭角丁番１０の下角部を覆ってその第２回動部材１２の取付部１２ｃに固定される。下角保護金具３４は、図５，７，９に示すように、側面に平板状の取付部３４ａを有し、その取付部３４ａから底部側に底板３４ｂを直角に折り曲げ、さらに正面側に正面板３４ｃを直角に折り曲げ、正面板３４ｃの前部に突出部３４ｄを設けて構成される。
【００３６】
なお、枠装置は、パチンコ遊技機の外枠として形成され、外枠の前面側には、上ヒンジ金具３１と下ヒンジ金具３２を介して前枠が開閉可能に装着され、前枠には図示しない施錠装置が取り付けられるが、その施錠装置のフックが係止される受け金具３５が第２縦辺枠４の内側の所定位置に固定されている。
【００３７】
次に、上記構成の枠装置の使用態様を説明する。この枠装置は、製造された状態或いは使用状態で、図１４（ａ）に示すように、長方形の枠状に形成される。このような方形の枠装置において、折り畳む際には、先ず、第２上角部６と第１下角部７における各鈍角丁番２０、２０のロックピン２４、２４を、長孔２１ｄ内で板ばね２５を押えながら反枢軸側に移動させ、第２回動部材２２の係止部２２ｂとの係止状態を解除する。
【００３８】
これにより、第２上角部６と第１下角部７の鈍角丁番２０、２０は、その第１回動部材２１と第２回動部材２２との角度を直角から鈍角側に開くように回動可能となり、第１上角部５と第２下角部８の各鋭角丁番１０、１０は、第２回動部材１２の係止部１２ｂがロックピン２４を乗り越えて、第１回動部材１１と第２回動部材１２が直角から鋭角側に回動可能である。したがって、図１４（ｂ）のように、枠装置の斜め上から折り畳む方向に軽い力を加えると、第１上角部５と第２下角部８の各鋭角丁番１０、１０が直角から鋭角側に回動し、第２上角部６と第１下角部７の各鈍角丁番２０、２０が直角から鈍角側に回動する。
【００３９】
そして、図１５（ａ）のように、さらに方形枠を折り畳む方向に力を加えると、第１上角部５と第２下角部８の各鋭角丁番１０、１０が鋭角側に回動し、第２上角部６と第１下角部７の各鈍角丁番２０、２０がさらに鈍角側に回動し、最終的には、図１５（ｂ）の如く、上辺枠１の側面が第１縦辺枠３の側面に当接するまで鋭角丁番１０と鈍角丁番２０が回動し、且つ下辺枠２の側面が第２縦辺枠４の側面に当接するまで鋭角丁番１０と鈍角丁番２０が回動し、折畳み状態となる。
【００４０】
このように、本枠装置は、第２上角部６と第１下角部７の各鈍角丁番２０のロックピン２４を、手動で動かして第２回動部材２２の係止部２２ｂとの係合を外し、枠を折り畳む方向に軽く力を加えるだけの簡単な操作で、折り畳むことができる。
【００４１】
また、このとき、上辺枠１、下辺枠２、第１縦辺枠３、及び第２縦辺枠４が図１５（ｂ）のように棒状又は帯板状に折り畳まれるから、遊技機の外枠を製造する製造工場などで製造された枠装置を保管する際、折り畳んで棒状又は帯板状とし、それらを容易に積み重ねて保管することができ、方形枠状の枠装置をそのまま保管する場合に比べ、極めて少ない保管スペースで多くの枠装置を保管することができる。
【００４２】
また、外枠製造工場などで製造された枠装置を、遊技機メーカーなどに輸送する際にも、棒状に折り畳んで積載し、運送するから、方形枠状の枠装置をそのまま積載して運搬する場合に比べ、運送の際の積荷スペースを大幅に低減することができ、枠装置の運送効率を大きく向上させることができる。
【００４３】
一方、折り畳んだ状態の枠装置を方形枠にする場合、第２上角部６を上方に持ち上げる。このとき、枠装置は、その第１上角部５の鋭角丁番１０、第２下角部８の鋭角丁番１０が鋭角を広げるように、第２上角部６の鈍角丁番２０、第１下角部７の鈍角丁番２０が鈍角を閉じるように、回動し、図１５（ｂ）の棒状から図１５（ａ）、図１４（ｂ）の菱形を経て、図１４（ａ）のような方形形状になる。
【００４４】
このとき、第１上角部５の鋭角丁番１０、第２下角部８の鋭角丁番１０は、第１回動部材１１と第２回動部材１２の角度が直角になると、第２回動部材１２の係止部１２ｂがロックピン１４に自動的に係止され、直角状態に保持される状態となる。
【００４５】
一方、第２上角部６の鈍角丁番２０、第１下角部７の鈍角丁番２０においては、第１回動部材２１と第２回動部材２２の角度が直角状態になったとき、手動により両鈍角丁番２０，２０の各ロックピン２４を枢軸２３側に（板ばね２５の山を越えるように）動かし、ロックピン２４を第２回動部材２２の係止部２２ｂに係止させ、これにより、直角状態が保持される。
【００４６】
このように、棒状の方形枠を広げて各角部を直角とし、鈍角丁番２０，２０の各ロックピン２４を動かしてロックするという簡単な操作で、折り畳んだ状態の枠装置を、方形枠の使用状態に戻すことができる。
【００４７】
なお、本発明の枠装置は、上記実施形態に限定されるものではなく、下記のような形態でも実施可能である。
【００４８】
１．第１上角部と第２下角部に鈍角丁番を使用し、第２上角部と第１下角部に鋭角丁番を使用し、上記とは左右逆方向に折り畳むように構成することもできる。
【００４９】
２．上記実施形態では、鈍角丁番２０のロックピン２４を手動で動かして直角にロックし、且つ手動で外して折り畳む構造としたが、鈍角丁番のロックピンを自動的に係止部に係止させ又は係止を解除し、鋭角丁番のロックピンを手動によりロックし又はロックを解除するように構成することもできる。
【図面の簡単な説明】
【００５０】
【図１】本発明の一実施形態を示す枠装置の正面図である。
【図２】同枠装置の左側面図である。
【図３】同枠装置の右側面図である。
【図４】同枠装置の平面図（ａ）と底面図（ｂ）である。
【図５】同枠装置の分解正面図である。
【図６】第１縦辺枠、鋭角丁番、鈍角丁番などの分解左側面図である。
【図７】第２縦辺枠、鋭角丁番、鈍角丁番などの分解右側面図である。
【図８】上辺枠、鋭角丁番、鈍角丁番などの分解平面図である。
【図９】下辺枠、鋭角丁番、鈍角丁番などの分解底面図である。
【図１０】鋭角丁番の分解正面図（ａ）、同分解平面図（ｂ）、同分解左側面図（ｃ）である。
【図１１】鈍角丁番の分解正面図（ａ）、同分解平面図（ｂ）、同分解右側面図（ｃ）である。
【図１２】直角状態の第１上角部の拡大正面図（ａ）と直角状態の第２下角部の拡大正面図（ｂ）である。
【図１３】直角状態の第２上角部の拡大正面図（ａ）と直角状態の第１下角部の拡大正面図（ｂ）である。
【図１４】折り畳む際の説明図を示し、（ａ）は方形状態の正面説明図、（ｂ）は菱形状態の正面説明図である。
【図１５】（ａ）はさらに偏平な菱形状態の正面説明図、（ｂ）は完全に折り畳まれて棒状となった状態の正面説明図である。
【図１６】鋭角状態の第１上角部の拡大正面図（ａ）と鋭角状態の第２下角部の拡大正面図（ｂ）である。
【図１７】鈍角状態の第２上角部の拡大正面図（ａ）と鈍角状態の第１下角部の拡大正面図（ｂ）である。
【符号の説明】
【００５１】
１      上辺枠
２      下辺枠
３      第１縦辺枠
４      第２縦辺枠
５      第１上角部
６      第２上角部
７      第１下角部
８      第２下角部
１０    鋭角丁番
１１    第１回動部材
１１ａ  軸受部
１１ｂ  ストッパ部
１１ｃ  取付部
１１ｄ  長孔
１２    第２回動部材
１２ａ  軸支部
１２ｂ  係止部
１２ｃ  取付部
１３    枢軸
１４    ロックピン
２０    鈍角丁番
２１    第１回動部材
２１ａ  軸受部
２１ｂ  ストッパ部
２１ｃ  取付部
２１ｄ  長孔
２２    第２回動部材
２２ａ  軸支部
２２ｂ  係止部
２２ｃ  取付部
２３    枢軸
２４    ロックピン
３１    上ヒンジ金具
３２    下ヒンジ金具                                                                       
【図１】
0005022161.tif 000002
【図２】
0005022161.tif 000003
【図３】
0005022161.tif 000004
【図４】
0005022161.tif 000005
【図５】
0005022161.tif 000006
【図６】
0005022161.tif 000007
【図７】
0005022161.tif 000008
【図８】
0005022161.tif 000009
【図９】
0005022161.tif 000010
【図１０】
0005022161.tif 000011
【図１１】
0005022161.tif 000012
【図１２】
0005022161.tif 000013
【図１３】
0005022161.tif 000014
【図１４】
0005022161.tif 000015
【図１５】
0005022161.tif 000016
【図１６】
0005022161.tif 000017
【図１７】
0005022161.tif 000018